(57)【特許請求の範囲】
【請求項１】
印刷対象画像の部分毎に異なる印刷特性を設定している印刷対象画像データを、ディスプレイに表示するとともに、前記印刷対象画像の部分毎の印刷特性を前記印刷対象画像データ内から読み出して、前記ディスプレイ上に表示することを特徴とする印刷特性表示装置。
【請求項２】
前記表示された印刷特性に対して修正操作を行うことにより、前記印刷対象画像データ内の印刷特性が変更されることを特徴とする請求項１記載の印刷特性表示装置。
【請求項３】
前記印刷対象画像データ内から読み出した印刷対象画像の部分毎の印刷特性を、前記ディスプレイに表示されている印刷対象画像の部分に対応させた位置に表示することを特徴とする請求項１または２記載の印刷特性表示装置。
【請求項４】
前記印刷特性が、前記印刷特性の内容に対応する図柄により前記ディスプレイ上に表示されることを特徴とする請求項１〜３のいずれか記載の印刷特性表示装置。
【請求項５】
ディスプレイと、
印刷対象画像データを記憶する画像記憶手段と、
前記画像記憶手段に記憶された印刷対象画像データを画像化して前記ディスプレイに表示する表示制御手段と、
前記画像記憶手段に記憶された印刷対象画像データ内の部分毎に設定されている印刷特性データを抽出し、その印刷特性データを画像化して、前記ディスプレイ上に表示する印刷特性表示制御手段と、
を備えたことを特徴とする印刷特性表示装置。
【請求項６】
更に、
前記表示された印刷特性に対して修正操作がなされる修正入力手段と、
前記修正入力手段により入力された修正データに基づいて、前記印刷対象画像データ内の該当する部分の印刷特性を変更する印刷特性変更手段と、
を備えたことを特徴とする請求項５記載の印刷特性表示装置。
【請求項７】
前記印刷特性表示制御手段は、画像化した印刷特性データを、前記ディスプレイに表示されている印刷対象画像の部分に対応させた位置に表示することを特徴とする請求項５または６記載の印刷特性表示装置。
【請求項８】
前記印刷特性表示制御手段が、前記印刷特性を、前記印刷特性の内容に対応する図柄により前記ディスプレイ上に表示することを特徴とする請求項５〜７のいずれか記載の印刷特性表示装置。
【発明の詳細な説明】
【０００１】
【発明の属する技術分野】
本発明は、印刷対象画像の部分毎に異なる印刷特性を設定している印刷対象画像データに対する印刷特性表示装置に関する。
【０００２】
【従来の技術】
近年、コンピュータを利用したデスクトップ・パブリッシング（以下「ＤＴＰ」と称する。）の発達により、異なるタイプの画像データを組み合わせて、写真イメージ、ビジネス・グラフィクス（たとえば図表）、拡大・縮小可能なテキスト等の複合文書を作成することができるようになった。
【０００３】
しかし、同じ文書に対しては同一の印刷特性で印刷するために、写真イメージのカラー・プリントを確実に行うとしてプリンタの色出力を補正すると、この印刷特性が同じ文書内のビジネス・グラフィクスを色あせたものとする場合があり、インパクトが弱くなってしまうことがあった。また、ビジネス・グラフィクスに彩度の高い鮮明な色のカラー・プリントを行うようにプリンタの色出力を補正すると、同じドキュメント内の写真イメージは生き生きとした外観を失ってしまうことがあった。
【０００４】
そのために、最近は、画像データ毎に印刷特性を設定することにより、同じ文書内でも部分毎に適切な表現を実現している。この印刷特性は画像データ毎に手動で設定したり、またコンピュータの処理により自動的に画像データ毎に好適な印刷特性が設定できる技術（特開平７−２３６０６６号公報）も提案されている。
【０００５】
【発明が解決しようとする課題】
このように設定された文書データの印刷状態を確認する場合、印刷して確認すれば確実であるが、試行錯誤が重なった場合、印刷時間、用紙およびインク等の無駄となるため、通常、印刷する前にＣＲＴ等のディスプレイに表示して、その画面を見て確認することになる。しかし、印刷は減法混色であるが、ＣＲＴ等のディスプレイでは加法混色である。このために、印刷状態を正確に確認することはできない。
【０００６】
しかも、自ら全ての画像データの印刷特性を設定したものであれば良いが、各画像データは他者が設定した画像データであることも多い。更に上述のごとく、コンピュータが自動的に設定したのでは、どのように設定されているかは誰も知らないこともあり、更に、誤認識のおそれもある。
【０００７】
更に、ＤＴＰの場合には、各種のソフト・ウエアを駆使して画像データを形成し、最終的に多数の画像データを組み込んで一つの文書を作成しているため、文書作成過程でいかなる印刷設定がなされているか解らない場合、あるいは忘却している場合が有り、印刷特性を自ら設定したとしても印刷設定を正確に確認することはできない場合がある。
【０００８】
本発明は、上述したごとくＤＴＰ等によって編集した文書データの印刷特性の確認を容易化することを目的としてなされたものである。
【０００９】
【課題を解決するための手段及び発明の効果】
本発明の印刷特性表示装置は、印刷対象画像の部分毎に異なる印刷特性を設定している印刷対象画像データを、ディスプレイに表示するとともに、前記印刷対象画像の部分毎の印刷特性を前記印刷対象画像データ内から読み出して、前記ディスプレイ上に表示する。このため、操作者は印刷しなくても印刷対象画像の各部分の印刷特性そのものが判明する。したがって、修正しなくてはならない場合も直ちにその部分を修正するためのソフトウエアを起動して、好みの印刷特性に修正することができる。特に、印刷対象画像データ内から読み出した印刷対象画像の部分毎の印刷特性を、前記ディスプレイに表示されている印刷対象画像の部分に対応させた位置に表示すれば、操作者は、印刷しなくても各部分毎の印刷特性そのものが、容易にかつ正確に判明する。
【００１０】
また、印刷対象画像の部分に対応させてディスプレイ上の位置に表示された印刷特性に対して、修正操作を行うことにより、前記印刷対象画像データ内の印刷特性が変更されるようにしても良い。このようにすれば、特別に修正のための表示をさせなくても、あるいは修正のためのソフトウエアを起動しなくても直ちに修正でき、効率的である。
【００１１】
前記印刷特性が、文字で記述するのではなく、印刷特性の内容に対応する図柄により前記ディスプレイ上に表示されても良い。このようにすれば、記述を読まなくともそのパターンにて直感的に印刷特性が判断できる。
更に、より具体的に印刷特性表示装置の構成を示すと、
ディスプレイと、印刷対象画像データを記憶する画像記憶手段と、前記画像記憶手段に記憶された印刷対象画像データを画像化して前記ディスプレイに表示する表示制御手段と、前記画像記憶手段に記憶された印刷対象画像データ内の部分毎に設定されている印刷特性データを抽出し、その印刷特性データを画像化して、前記ディスプレイ上に表示する印刷特性表示制御手段とを備えた構成とすることができる。
【００１２】
そして、更に、前記表示された印刷特性に対して修正操作がなされる修正入力手段と、前記修正入力手段により入力された修正データに基づいて、前記印刷対象画像データ内の該当する部分の印刷特性を変更する印刷特性変更手段とを備えても良い。また、前記印刷特性表示制御手段が、前記印刷特性を、前記印刷特性の内容に対応する図柄により前記ディスプレイ上に表示することとしても良い。
【００１３】
また、前記印刷特性表示制御手段は、画像化した印刷特性データを、ディスプレイに表示されている印刷対象画像の部分に対応させた位置に表示するようにしても良い。このようにすれば、操作者は、印刷しなくても各部分毎の印刷特性そのものが、容易にかつ正確に判明し、修正しなくてはならない場合も直ちにその部分を修正するためのソフトウエアを起動して、好みの印刷特性に修正することができる。
【００１４】
【発明の実施の形態】
［実施の形態１］
図１は、印刷特性表示装置２の主要ブロック図である。
この印刷特性表示装置２の主体を成すマイクロコンピュータ部１１はＣＰＵ１２、ＲＯＭからなるプログラムメモリ１３、ＲＡＭからなるワーキングメモリ１４、およびＲＡＭからなる画像メモリ１６により構成されている。また、マイクロコンピュータ部１１にはバス１８を介して、アプリケーションソフトが収納されているハードディスク装置２０、ＣＲＴディスプレイ２２、インク噴射型ドットプリンタ２４、フロッピーディスクドライブ２６、ＣＤ−ＲＯＭドライブ２８、イメージスキャナ３０等が接続されている。また、バス１８には、ＬＡＮ等のネットワークの通信回線が接続されており、通信回線を介して文書データを送受信できる。印刷特性表示装置２への操作者の入力操作は、バス１８を介してキーボード３２やマウス型入力装置３４からなされる。
【００１５】
ハードディスク装置２０に格納されているアプリケーションソフトは、ワードプロセッサ用ソフトウエア、写真画像編集用ソフトウエア、イラスト画像編集用ソフトウエア、ビジネス・グラフィックソフトウエア、およびこれらのソフトウエアを駆使して作成された文章、写真あるいは図の画像データを総合して１つの文書データを形成するＤＴＰアプリケーションソフト、および後述する図２の文書・編集印刷処理等の複数のソフトウエアの実行プログラムが格納されている。
【００１６】
ＣＰＵ１２は、ハードディスク装置２０に格納されたアプリケーションソフトの１つまたは二つ以上をワーキングメモリ１４内のプログラムエリアにロードして起動し、ワーキングメモリ１４内のデータエリアにロードされている各種データを編集し、その編集結果を画像メモリ１６に画像データとして形成することによりＣＲＴディスプレイ２２上に表示するものである。編集された画像データは印刷に際して、画像データの部分毎に設定されている印刷特性に応じて印刷用のイメージデータに変換されてインク噴射型ドットプリンタ２４に出力されて印刷される。
【００１７】
また、編集用の各種データは、ハードディスク装置２０、フロッピーディスクドライブ２６にセットされたフロッピー、ＣＤ−ＲＯＭドライブ２８にセットされたＣＤ−ＲＯＭ、イメージスキャナ３０あるいはＬＡＮ等の通信回線から読み込んだ文字コードデータ、写真画像データ、ビジネス・グラフィクスデータ等を用いて、アプリケーションソフトにて編集しても良い。このようなアプリケーションソフトは、特開平７−２３６０６６号公報、や一般的なアプリケーションソフトとしても良く知られているので詳しい説明は省略する。
【００１８】
次に、印刷特性表示装置２により実行されるＤＴＰアプリケーションソフトも兼ねた文書編集・印刷処理について説明する。この処理のフローチャートを図２に示す。
処理が開始されると、まず文書の画像データの作成が行われる（Ｓ１００）。この画像データの作成は、本処理内で、ハードディスク装置２０から１つまたは複数のアプリケーションソフトをワーキングメモリ１４にロードして、あるいは既にワーキングメモリ１４にロードされている１つまたは複数のアプリケーションソフトを用いて、必要な画像データの編集を行うことにより作成する。
【００１９】
このアプリケーションソフトの選択的起動は、ＣＲＴディスプレイ２２上のマウスカーソルの位置とマウス型入力装置３４からのクリック信号とに基づいてなされる。
アプリケーションソフトを選択して起動させると、ハードディスク装置２０、フロッピーディスクドライブ２６、ＣＤ−ＲＯＭドライブ２８、イメージスキャナ３０あるいはＬＡＮ等から画像データを入力して、ワーキングメモリ１４内に書き込むとともに、この画像データを、ＣＲＴディスプレイ２２に表示できる画像データに変換して、画像メモリ１６に書き込み、ＣＲＴディスプレイ２２に表示させたり、あるいは新たに作成して画像メモリ１６に書き込んでＣＲＴディスプレイ２２に表示させる。
【００２０】
写真画像データ編集用のアプリケーションソフトあるいはイラスト画像データ編集用のアプリケーションソフトを選択して起動させると、ワーキングメモリ１４あるいは画像メモリ１６内に存在する画像データを、トリミングしたり、新たに作成したり、色変換したり、多階調で作成されている画像をディザ法や誤差拡散法にて疑似中間調の画像に２値化したり、あるいはＣＲＴディスプレイ２２に表示するために減色する処理、更にそれらの設定値を画像データと共に記憶する処理が可能となる。
【００２１】
文章作成用のアプリケーションソフトを選択して起動させると、ワーキングメモリ１４内の文字コードデータとして存在する文章データを書き換えたり、文字のサイズやフォントを変更したり、レイアウトを変更して画像データとしてＣＲＴディスプレイ２２に表示する処理、あるいはそれらの設定値をデータとともに記憶する処理が可能となる。
【００２２】
上述した各アプリケーションソフトにより作成された文書の画像データは、その画像データの編集のステップＳ１００の終了時には１つの画像データとして合成されてハードディスク装置２０等に記憶する。また、合成した画像データは、その各部分が元のアプリケーションソフトにて設定された印刷特性に基づいて印刷することができる。尚、印刷特性とは、「明るく」，「鮮やか」といった色変換の処理特性や、「誤差拡散」，「ディザ」といった画像データの２値化特性等を含むものである。このような合成と印刷の機能自体は一般的に知られている。
【００２３】
上述したごとく画像データの各々に適合した各種アプリケーションソフトによる編集が終了して、文書データとしては、例えば図３にイメージとして示す文書画像５０が完成されたものとする。ここでは、写真画像領域５０ａ、文字画像領域５０ｂ，５０ｃ、イラスト画像領域５０ｄ、地図画像領域５０ｅが存在する。地図画像領域５０ｅ内にも文字画像領域５０ｆ，５０ｇが存在する。
【００２４】
この後に、操作者がマウス型入力装置３４の操作により、選択メニューから印刷を選択すると、印刷の指令があったものとして（Ｓ１１０で「ＹＥＳ」）、次にワーキングメモリ１４内の画像データ内に設定されている前記各領域５０ａ〜５０ｅに対応する部分データをプレスキャンし、その部分データ毎の２つの印刷特性１，２を解析する（Ｓ１２０）。
【００２５】
そして、この部分データ毎の各２つ印刷特性１，２を、図４に示すごとく既に表示されている画像の各領域５０ａ〜５０ｅに対応して表示させる（Ｓ１３０）。図４の例では、写真画像領域５０ａには印刷特性１の「誤差拡散」のメッセージボックス６０ａおよび印刷特性２の「モニタ色」のメッセージボックス６０ｂ、文字画像領域５０ｂには印刷特性１の「単純２値」のメッセージボックス６２ａおよび印刷特性２の「鮮やか」のメッセージボックス６２ｂ、文字画像領域５０ｃには印刷特性１の「単純２色」のメッセージボックス６４ａおよび印刷特性２の「色補正無」のメッセージボックス６４ｂ、イラスト画像領域５０ｄには印刷特性１の「ディザ（Bayer）」のメッセージボックス６６ａおよび印刷特性２の「明るく」のメッセージボックス６６ｂ、地図画像領域５０ｅには印刷特性１の「単純２値」のメッセージボックス６８ａおよび印刷特性２の「明るく」のメッセージボックス６８ｂが画像に重ねて表示される。表示位置は、各画像データ内の表示位置データを検索することにより、この位置データに基づいて設定され、例えば各領域５０ａ〜５０ｅの右下隅に設定される。
【００２６】
ここで、印刷特性１の表示である「誤差拡散」、「単純２値」、「ディザ（Bayer）」は、画像データに対する印刷のための２値化処理を表している。この他の印刷特性１として「ディザ（渦巻）」が存在する。また、印刷特性２の表示である「モニタ色」、「鮮やか」、「色補正無」、「明るく」は、画像データにおける色変換の特性を表している。
【００２７】
なお、「誤差拡散」は誤差拡散法により各画素でのインク噴射のオン・オフを決定するものであり、「単純２値」は閾値のみに基づいて単純に各画素をオン・オフに決定するものであり、「ディザ（Bayer）」はＢａｙｅｒ型ディザマトリックスにより各画素を２値化するものであり、「ディザ（渦巻）」は渦巻型ディザマトリックスにより各画素を２値化するものである。また、「モニタ色」はモニタ、すなわちＣＲＴディスプレイ２２の表示に近似するように色変換を行うことを意味し、「鮮やか」は彩度を高め、「色補正無」は各アプリケーションソフトで作成されたままの画像データの値を用い、「明るく」は明度を高める処理を施す色変換を行うことを意味している。
【００２８】
次に、この設定状態を操作者が了承しない場合は、修正したいメッセージボックス６０ａ〜６８ａ，６０ｂ〜６８ｂにマウスカーソルを移動させて、マウス型入力装置３４の左ボタンをクリックすれば（以下「マウスクリック」と称する。）、ステップＳ１４０の印刷特性修正終了ではないと判定されて（Ｓ１４０で「ＮＯ」）、印刷特性の選択メニューが表示されて、印刷特性の設定変更が可能となる（Ｓ１５０）。そして、選択待ちとなる（Ｓ１６０）。
【００２９】
選択メニューの例を図５に示す。図５（ａ）はイラスト画像領域５０ｄのメッセージボックス６６ａをマウスクリックした場合にイラスト画像領域５０ｄ上に重ねて表示される印刷特性１のメニューボックス７０を示す。このイラスト画像領域５０ｄの印刷特性１はイラスト画像データ編集用のアプリケーションソフトにて設定されたままで一度も修正されていないので、メニュー上部７０ａには「修正前」の表示がなされている。また、メニュー下部７０ｂには設定可能な印刷特性１のメニューリストが表示され、設定されている印刷特性の前の丸印は塗り潰されている。このことにより、現在の設定状態が示される。
【００３０】
設定を修正するには、設定したい印刷特性の丸印あるいは印刷特性の表示文字そのものに対してマウスクリックすることによりなされ、図６（ａ）に示すごとく、新たに設定された印刷特性（ここでは「誤差拡散」）の前の丸印が塗り潰され、前の印刷特性「ディザ（Bayer）」の前の丸は白抜きに変わる。更に、メニュー上部７０ａの表示は「修正後」に変わる。
【００３１】
このように設定されるとステップＳ１６０にては、選択が有りと判断して（Ｓ１６０で「ＹＥＳ」）、修正された領域に該当する画像データ内の一部の画像データの印刷特性を、修正操作に適合した内容に修正し（Ｓ１６２）、再度、新たな設定内容にて、ステップＳ１２０，Ｓ１３０の処理がなされて、ＣＲＴディスプレイ２２上に、修正後の内容で図４と同様なメッセージボックスの表示がなされる。尚、修正のため表示したメニューボックス７０はそのまま表示しておいても良い。
【００３２】
図５（ｂ）はイラスト画像領域５０ｄのメッセージボックス６６ｂをマウスクリックした場合にイラスト画像領域５０ｄ上に重ねて表示される印刷特性２のメニューボックス７２を示す。同様に、メニュー上部７２ａには「修正前」の表示がなされている。また、メニュー下部７２ｂには設定可能な印刷特性２のメニューリストが表示される。設定の修正操作および動作は図５（ａ）の場合と同じである。例えば、図６（ｂ）に示すごとく、「明るく」から「モニタに色を合せる」に印刷特性２が変更されると、メニュー上部７２ａの表示は「修正後」に変わり、ＣＲＴディスプレイ２２のメッセージボックスの表示も修正後の内容に変わる。
【００３３】
更に他の領域についても修正が有れば同様にして行われる。
このようにして、修正作業が終了すると、操作者は、ＣＲＴディスプレイ２２上に表示された「修正終了」（図示していない）のボタンをマウスクリックすれば（Ｓ１４０で「ＹＥＳ」）、各画像データがそれぞれ設定されている印刷特性に応じて印刷用の画像データに変換され（Ｓ１７０）、インク噴射型ドットプリンタ２４にて印刷処理され（Ｓ１８０）、修正通りの印刷特性で印刷物が形成される。
【００３４】
次に、操作者がＣＲＴディスプレイ２２上に表示された「全処理終了」（図示していない）のボタンをマウスクリックすれば（Ｓ１９０で「全て終了」）、文書編集・印刷処理を終了する。また、「編集」（図示していない）のボタンをマウスクリックすれば（Ｓ１９０で「編集」）、ステップＳ１００の処理に戻り、「印刷」（図示していない）のボタンをマウスクリックすれば（Ｓ１９０で「印刷」）、ステップＳ１２０の処理に戻る。
【００３５】
本実施の形態１の印刷特性表示装置２は、印刷対象である画像データの部分毎に異なる印刷特性を設定している画像データを、ＣＲＴディスプレイ２２に表示するとともに、前記画像データの部分である領域５０ａ〜５０ｅ毎の印刷特性を画像データ内から読み出し解析して（Ｓ１２０）、ＣＲＴディスプレイ２２上に表示されている各領域５０ａ〜５０ｅに対応させた位置に表示する。このため、操作者は、印刷しなくても各領域毎の印刷特性そのものが、正確に判明する。したがって、修正しなくてはならない場合も直ちにその部分を好みの印刷特性に修正することができる。更に、ＣＲＴディスプレイ２２上に表示された印刷特性のメニューボックス７０，７２に対して修正操作すれば、印刷特性の設定を変更することができるので、直ちに修正でき、効率的である。
【００３６】
尚、地図画像領域５０ｅにおいては、文字画像領域５０ｆ，５０ｇも含めて共通の印刷特性を設定したが、文字画像領域５０ｆ，５０ｇと地図画像領域５０ｅの他の領域とを分けて、印刷特性を設定および修正できるようにしても良い。
本実施の形態１において、ワーキングメモリ１４が画像記憶手段に該当し、ステップＳ１００内における各アプリケーションソフトによるＣＲＴディスプレイ２２への表示処理が表示制御手段としての処理に該当し、ステップＳ１２０，Ｓ１３０が印刷特性表示制御手段としての処理に該当し、マウス型入力装置３４が修正入力手段に該当し、ステップＳ１６２が印刷特性変更手段としての処理に該当する。
【００３７】
［実施の形態２］
前記実施の形態１では、メッセージボックス６０ａ〜６８ａ，６０ｂ〜６８ｂに、文字にて印刷特性を表示したが、図７に示すごとく、図柄による表示マークを、文字の代りに表示しても良い。
【００３８】
図４に対応して、表示マーク８０ａ〜８８ａ，８０ｂ〜８８ｂによる例を図８に示す。このように表示することにより、記述を読まなくとも表示マーク８０ａ〜８８ａ，８０ｂ〜８８ｂ中の図柄のパターンにて直感的に印刷特性が判断できる。この表示マーク８０ａ〜８８ａ，８０ｂ〜８８ｂをマウスクリックすれば、実施の形態１と同じ処理がなされる。なお、メニューボックス７０，７２は、図９に示すごとく、文字の表現と表示マークとの組合せで表示するものとする。
【００３９】
［その他］
前記各実施の形態では、印刷特性の表示（Ｓ１３０）の際には、メッセージボックス６０ａ〜６８ａ，６０ｂ〜６８ｂや表示マーク８０ａ〜８８ａ，８０ｂ〜８８ｂにて印刷特性を表示し、それらをマウスクリックすることにより初めて選択メニューを表示したが、ステップＳ１３０にて、最初から選択メニューを表示して、メッセージボックス６０ａ〜６８ａ，６０ｂ〜６８ｂや表示マーク８０ａ〜８８ａ，８０ｂ〜８８ｂは省略しても良い。
【００４０】
また、各領域５０ａ〜５０ｅの右下に各領域５０ａ〜５０ｅと重なるように、各メッセージボックス６０ａ〜６８ａ，６０ｂ〜６８ｂや表示マーク８０ａ〜８８ａ，８０ｂ〜８８ｂを表示していたが、各領域５０ａ〜５０ｅとの対応が判るならば、各メッセージボックス６０ａ〜６８ａ，６０ｂ〜６８ｂや表示マーク８０ａ〜８８ａ，８０ｂ〜８８ｂは、文書画像５０内の別の場所あるいは文書画像５０の外に配置しても良い。この場合の対応は例えば、吹き出しのようにしたりあるいは引出線にて、各領域５０ａ〜５０ｅと各メッセージボックス６０ａ〜６８ａ，６０ｂ〜６８ｂや表示マーク８０ａ〜８８ａ，８０ｂ〜８８ｂとを連結しても良い。あるいは対応する領域５０ａ〜５０ｅに隣接する位置にメッセージボックス６０ａ〜６８ａ，６０ｂ〜６８ｂあるいは表示マーク８０ａ〜８８ａ，８０ｂ〜８８ｂを配置しても良い。またマウス型入力装置３４等によって指定された領域５０ａ〜５０ｅの印刷特性を、予め定めた特定の場所に表示しても良い。
【００４１】
前記各実施の形態では、各画像毎に、印刷特性を設定していたが、例えば、文字画像データは文字画像データ毎に、イラスト画像データはイラスト画像データ毎に、写真画像データは写真画像データ毎にまとめてグループ化し、メッセージボックスや表示マークあるいは選択メニューを表示して、グループ毎に一度に修正できるようにしても良い。
【００４２】
あるいは、画像データを作成したアプリケーションソフト毎に画像を分けて、そのグループ毎に、メッセージボックスや表示マークあるいは選択メニューを表示して、グループ毎に一度に修正しても良い。
前記各実施の形態では、図２に示した文書編集・印刷処理にて直接、印刷特性の修正が可能であったが、単に、印刷特性の表示のみが行われる処理であっても良い。このような印刷特性の表示のみの処理にて印刷特性が不都合であると判明すれば、再度、アプリケーションソフトの処理（Ｓ１００）に戻り、アプリケーションソフトによる修正を行うことにより、同様な機能を達成することができる。
【００４３】
印刷特性は各実施の形態に例示したものに限らず、ディザの種類、２値化の手法、ディザマトリックスの値、解像度、２値化特性の種類、中間調の表現方法、カラーマッチングの特性、色変換方法等において他の種類のものを選択に加えるても良い。
【図面の簡単な説明】
【図１】  実施の形態１の印刷特性表示装置の主要ブロック図である。
【図２】  実施の形態１の文書編集・印刷処理のフローチャートである。
【図３】  実施の形態１の文書画像の各画像領域の配置説明図である。
【図４】  実施の形態１の文書画像の各画像領域と印刷特性表示との配置説明図である。
【図５】  実施の形態１の修正前の選択メニューの説明図である。
【図６】  実施の形態１の修正後の選択メニューの説明図である。
【図７】  実施の形態２の印刷特性と表示マークとの関係説明図である。
【図８】  実施の形態２の文書画像の各画像領域と印刷特性表示マークとの配置説明図である。
【図９】  実施の形態２の選択メニューの説明図である。
【符号の説明】
２…印刷特性表示装置    １１…マイクロコンピュータ部
１２…ＣＰＵ    １３…プログラムメモリ    １４…ワーキングメモリ
１６…画像メモリ    １８…バス    ２０…ハードディスク装置
２２…ＣＲＴディスプレイ    ２４…インク噴射型ドットプリンタ
２６…フロッピーディスクドライブ    ２８…ＣＤ−ＲＯＭドライブ
３０…イメージスキャナ    ３２…キーボード
３４…マウス型入力装置    ５０…文書データ
５０ａ…写真画像領域    ５０ｂ，５０ｃ…文字画像領域
５０ｄ…イラスト画像領域    ５０ｅ…地図画像領域
５０ｆ，５０ｇ…文字画像領域
６０ａ〜６８ａ，６０ｂ〜６８ｂ…メッセージボックス
７０，７２…メニューボックス
８０ａ〜８８ａ，８０ｂ〜８８ｂ…表示マーク
【図１】
0003635765.tif 000002
【図２】
0003635765.tif 000003
【図３】
0003635765.tif 000004
【図４】
0003635765.tif 000005
【図５】
0003635765.tif 000006
【図６】
0003635765.tif 000007
【図７】
0003635765.tif 000008
【図８】
0003635765.tif 000009
【図９】
0003635765.tif 000010